(57)【要約】【課題】光ディスク再生時のレーザノイズ低減のため、高周波重畳の最適条件を、既存の回路でより短時間で設定すること。【解決手段】レーザダイオード２の発光特性を表す駆動電流と発光パワーとの関係式を取得する。レーザダイオードから出射するレーザ光の平均パワーＰａ、平均パワーＰａとピークパワーＰｍの比である変調度Ｍ（＝Ｐｍ／Ｐａ）の目標値を、メモリ１１から読み出す。マイコン１０は、これらの関係式と、平均パワーＰａおよび変調度Ｍの目標値とを用いて、レーザダイオード２に供給する直流電流と高周波電流の目標値を算出する。【選択図】図１
2007004914.tif 000002
【特許請求の範囲】
【請求項１】
光ディスクからデータを再生する光ディスク再生装置において、
該光ディスクに再生用のレーザ光を照射するレーザダイオードと、
該レーザダイオードを駆動するために直流電流に高周波電流を重畳した駆動電流を供給するレーザドライバと、
上記レーザダイオードから出射するレーザ光の発光パワーを検出するパワーモニタと、
出射するレーザ光の平均パワーＰａ、該平均パワーＰａとピークパワーＰｍの比である変調度Ｍ（＝Ｐｍ／Ｐａ）の目標値を記憶するメモリと、
上記レーザドライバに対し駆動電流である直流電流と高周波電流の目標値を設定するマイコンとを備え、
該マイコンは、上記レーザダイオードの発光特性を表す駆動電流と発光パワーとの関係式と、上記メモリに記憶した平均パワーＰａおよび変調度Ｍの目標値とを用いて、上記レーザドライバが供給する電流の上記目標値を算出して設定することを特徴とする光ディスク再生装置。
【請求項２】
請求項１記載の光ディスク再生装置において、
前記メモリに記憶する変調度Ｍの目標値は、前記レーザダイオードの発光特性を表す駆動電流と発光パワーとの関係式と、テスト信号を有する光ディスクからの再生品質が最良となる該レーザダイオードに供給する直流電流と高周波電流の各値とを用いて、前記マイコンにより算出したものであることを特徴とする光ディスク再生装置。
【請求項３】
請求項１または２記載の光ディスク再生装置において、
前記レーザダイオードの発光特性を表す駆動電流と発光パワーとの関係式とは、前記レーザドライバにより直流電流を変化させて駆動し、前記パワーモニタにより発光パワーを検出することにより求められる、該レーザダイオードの発振開始電流値Ｉｔｈと駆動電流に対する発光パワーの効率ηであることを特徴とする光ディスク再生装置。
【請求項４】
光ディスク再生装置において直流電流に高周波電流を重畳した駆動電流を供給してレーザダイオードを駆動するレーザダイオード駆動方法であって、
該レーザダイオードの発光特性を表す駆動電流と発光パワーとの関係式を取得し、
該レーザダイオードから出射するレーザ光の平均パワーＰａ、該平均パワーＰａとピークパワーＰｍの比である変調度Ｍ（＝Ｐｍ／Ｐａ）の目標値を当該光ディスク再生装置内のメモリから読み出し、
上記発光特性を表す関係式と、上記平均パワーＰａおよび変調度Ｍの目標値とを用いて、上記レーザダイオードに供給する直流電流と高周波電流の目標値を算出し、
該算出した駆動電流を供給することを特徴とするレーザダイオード駆動方法。
【請求項５】
請求項４記載のレーザダイオード駆動方法において、
前記メモリに記憶する変調度Ｍの目標値は、前記レーザダイオードの発光特性を表す駆動電流と発光パワーとの関係式と、テスト信号を有する光ディスクからの再生品質が最良となる該レーザダイオードに供給する直流電流と高周波電流の各値とを用いて算出したものであることを特徴とするレーザダイオード駆動方法。
【請求項６】
請求項４または５記載のレーザダイオード駆動方法において、
前記レーザダイオードの発光特性を表す駆動電流と発光パワーとの関係式は、前記レーザダイオードに直流電流を変化させて供給した時の、該レーザダイオードの発振開始電流値Ｉｔｈと駆動電流に対する発光パワーの効率ηとして求めることを特徴とするレーザダイオード駆動方法。
【請求項７】
請求項４ないし６のいずれか１項記載のレーザダイオード駆動方法であって、
前記光ディスクが当該光ディスク再生装置に挿入された時に、当該レーザダイオード駆動方法により、前記レーザダイオードに供給する直流電流と高周波電流の目標値を算出して供給することを特徴とするレーザダイオード駆動方法。
【請求項８】
請求項４ないし６のいずれか１項記載のレーザダイオード駆動方法であって、
前記レーザダイオードの周囲温度の変化を検出した時に、当該レーザダイオード駆動方法により、前記レーザダイオードに供給する直流電流と高周波電流の目標値を算出して供給することを特徴とするレーザダイオード駆動方法。
【請求項９】
請求項４ないし６のいずれか１項記載のレーザダイオード駆動方法であって、
光ディスクにデータの記録を完了した時に、当該レーザダイオード駆動方法により、前記レーザダイオードに供給する直流電流と高周波電流の目標値を算出して供給することを特徴とするレーザダイオード駆動方法。
【発明の詳細な説明】
【技術分野】
【０００１】
本発明は、高周波重畳法を用いたレーザ光を利用して光ディスクからデータを再生する光ディスク再生装置およびレーザダイオード駆動方法に関する。
【背景技術】
【０００２】
光ディスクからレーザ光を利用してデータを再生する光ディスク再生装置においては、レーザダイオードに起因するノイズを低減するために、レーザダイオード駆動方式として、いわゆる高周波重畳法が知られている（例えば、特許文献１）。これは、高周波でレーザ発振をオン・オフし多重縦モード発振状態を保つことにより、光ディスクからの反射光帰還によるレーザダイオードの光出力変動を抑止するものである。その時の高周波電流重畳による変調の深さ（変調度）の好適な条件も提案されている。
【０００３】
しかし、高周波重畳時の変調度は、レーザの駆動電流を一定に保っても周囲温度やレーザダイオードの個体差などによって変化する。変調度が最適値からずれると、レーザノイズを十分に低減することができず再生品質が低下する問題がある。
【０００４】
これを解決するため、特許文献２では、レーザダイオード制御回路において、高周波重畳の重畳期間中と停止期間中のそれぞれについて、フォトディテクタの出力を保持するサンプルホールド回路の出力と基準信号源の出力とを比較することで、高周波重畳の電流振幅値と直流電流値を調整し、レーザダイオードから適切な変調度を持った波形を出射し、レーザノイズを低減する技術が開示されている。
【０００５】
【特許文献１】特開昭５６−３７８３４号公報
【特許文献２】特開平５−２９９７３８号公報
【発明の開示】
【発明が解決しようとする課題】
【０００６】
特許文献２で開示されているレーザダイオード制御回路では、適切な変調度を持った出射波形に調整するため、高周波重畳時の発光パワーを直接測定し、目標の変調度が得られる高周波電流値を求めるものである。またそのために、サンプルホールド回路や差動アンプなどを備えた構成を必要とする。この技術では、高周波電流の振幅を変化させながら、高周波電流重畳状態と停止状態とで発光パワーを検出して比較する工程を含むので、最適条件となるよう調整するまで時間を要すること、そして、調整のためにサンプルホールド回路などの専用の回路部品を必要とすることが課題といえる。
【０００７】
本発明の目的は、光ディスク再生時のレーザノイズ低減のため、高周波重畳の最適条件をより短時間で設定でき、また新たな回路部品を必要とせず既存の回路構成で実現できる光ディスク再生装置およびレーザダイオード駆動方法を提供するものである。
【課題を解決するための手段】
【０００８】
本発明による光ディスク再生装置は、光ディスクに再生用のレーザ光を照射するレーザダイオードと、レーザダイオードを駆動するために直流電流に高周波電流を重畳した駆動電流を供給するレーザドライバと、レーザダイオードから出射するレーザ光の発光パワーを検出するパワーモニタと、出射するレーザ光の平均パワーＰａ、平均パワーＰａとピークパワーＰｍの比である変調度Ｍ（＝Ｐｍ／Ｐａ）の目標値を記憶するメモリと、レーザドライバに対し駆動電流である直流電流と高周波電流の目標値を設定するマイコンとを備える。マイコンは、レーザダイオードの発光特性を表す駆動電流と発光パワーとの関係式と、メモリに記憶した平均パワーＰａおよび変調度Ｍの目標値とを用いて、レーザドライバが供給する直流電流と高周波電流の目標値を算出して設定する。
【０００９】
本発明によるレーザダイオード駆動方法は、レーザダイオードの発光特性を表す駆動電流と発光パワーとの関係式を取得し、レーザダイオードから出射するレーザ光の平均パワーＰａ、平均パワーＰａとピークパワーＰｍの比である変調度Ｍ（＝Ｐｍ／Ｐａ）の目標値を光ディスク再生装置内のメモリから読み出し、発光特性を表す関係式と、平均パワーＰａおよび変調度Ｍの目標値とを用いて、レーザダイオードに供給する直流電流と高周波電流の目標値を算出し、算出した駆動電流を供給する。
【００１０】
本発明のレーザダイオード駆動方法は、特に、光ディスクが光ディスク再生装置に挿入された時、レーザダイオードの周囲温度の変化を検出した時、光ディスクにデータの記録を完了した時に実施するのが好ましい。
【発明の効果】
【００１１】
本発明によれば、レーザダイオードの駆動電流を短時間に調整でき、安定で良好な再生品質を確保することができる。
【発明を実施するための最良の形態】
【００１２】
以下本発明の実施例を、図面を用いて説明する。
【実施例１】
【００１３】
図１は、本発明による光ディスク再生装置の一実施例を示すブロック構成図である。レーザドライバ１は、直流電流回路及び高周波電流回路を備えており、高周波を重畳したレーザダイオード駆動電流を出力し、レーザダイオード２を駆動する。レーザダイオード２は、レーザドライバ１の出力に対応した高周波を重畳した発光波形で、所定の波長を有するレーザ光を光ディスク３に出射する。パワーモニタ４は、レーザダイオード２の発光パワーを図示しないビームスプリッタを介して検出し、検出した発光パワーに対応した電流値を出力する。アンプ５は、パワーモニタ４の出力電流値を電圧値に変換し、マイコン１０に出力する。フォトディテクタ６は、光ディスク３に記録されている信号を読み出し、電流波形として出力する。アンプ７はフォトディテクタ６の出力電流波形を電圧波形に変換し、波形等化器８にてアンプ７の出力波形の等化を行う。信号処理器９は波形等化器８の出力波形の品質評価、例えば、クロックからの再生波形の位相誤差を示すジッタ量の測定を行い、マイコン１０に出力する。マイコン１０は、後述する高周波重畳の変調度や重畳電流の計算を行う。また計算に用いるプログラムやデータは、メモリ１１に記憶格納している。マイコン１０は、図示しないＡＴＡＰＩなどのインターフェースを通じて、ＰＣなどのホスト装置と通信を行う。
【００１４】
図２は、本実施例におけるレーザダイオード駆動方法を説明する図であり、図１におけるレーザドライバ１の駆動電流と、レーザダイオード２から出射される発光波形の関係を示す。駆動電流１４は、直流電流値Ｉｄｃ１に高周波電流の振幅値Ｉｈｆ１を重畳したものである。レーザダイオード２の発光特性は、レーザの発振開始電流値Ｉｔｈと、駆動電流に対する発光パワーの効率（傾き）ηで表される。この両者により、レーザダイオード２から出射される発光波形（出射波形）１１が一義に決まる。ここで直流電流値Ｉｄｃ１を発振開始電流値Ｉｔｈよりも小さく設定することで、図のように、発光波形１１はオン状態とオフ状態の繰り返しとなる。この断続駆動により、レーザダイオード２を多重縦モードにて発振させ、レーザノイズを低減することができる。
【００１５】
ここに本実施例では、発光波形１１を特徴付けるパラメータとして、発光パワーのピーク値をＰｍ、平均値をＰａとし、その比Ｐｍ／Ｐａを変調度Ｍと定義する（Ｍ＝Ｐｍ／Ｐａ）。平均パワーＰａは、発光波形を面積分することで算出できるとともに、図１におけるパワーモニタ４にて、この平均パワーＰａを測定することができる。発光波形１１の変調度Ｍは、再生信号の品質に影響し、よって品質が最良になるような変調度Ｍの目標値を求め、駆動電流はこの変調度Ｍが得られるように設定する。
【００１６】
逆に、目標の発光波形１１（ピーク値Ｐｍ、平均値Ｐａ、および変調度Ｍ＝Ｐｍ／Ｐａ）が与えられ、レーザダイオード２の発光特性１２（すなわち、発振開始電流値Ｉｔｈと駆動電流に対する発光パワーの効率η）が分かれば、目標の発光波形１１を実現するための駆動電流（直流電流値Ｉｄｃと高周波電流の振幅値Ｉｈｆ）は一義に決まる。なぜなら、この場合の発光波形１１の形状は正弦波（あるいは近似的に三角波）の一部であるので、そのピーク値Ｐｍと平均値Ｐａを与えれば、対応する駆動電流は一義に決まるからである。
【００１７】
従って、温度変化などの要因によって、レーザダイオード２の発光特性が例えば符号１２から符号１３のカーブに変化したとする。変化後のレーザの発光特性１３（すなわち、発振開始電流値Ｉｔｈ２と、駆動電流に対する発光パワーの効率η２）を求めれば、目標の出射波形１１を得るための駆動電流１５（直流電流値Ｉｄｃ２と高周波電流の振幅値Ｉｈｆ２）は、一義に算出することができる。
【００１８】
このように本実施例では、レーザダイオード２の発光特性の変化を測定するだけで、所望の出射波形を得るための駆動電流を計算にて算出し、算出した駆動電流にてレーザドライバ１を設定すればよい。この場合に必要な測定は発光特性１３だけであり、よって短時間で目標とする最適な駆動電流１５を算出し調整可能となる。なおレーザダイオード２の発光特性の測定は、光ディスク装置にとって必須工程であり、特に新たに回路部品を必要とせず、また他の測定工程と兼用することもできる。
【００１９】
以上で述べたレーザの駆動電流と出射波形の関係式を用いて、変調度の調整を行うフローチャートの例を示す。本フローチャートは２つのステップに分かれている。第１のステップは、駆動電流の初期調整により最適な変調度を取得する工程、第２のステップは、第１のステップで求めた最適変調度で出射するように駆動電流の再調整を行う工程である。
【００２０】
図３は、初期調整により最適な変調度を取得するフローチャート（第１のステップ）の例である。ここでは、装置出荷時での調整の例を示すが、テスト信号が記録された基準光ディスクを用いて、出荷後に最適変調度の調整を行う場合にも適用できる。
【００２１】
Ｓ１０１では、レーザダイオード２の発光特性を測定する。高周波電流Ｉｈｆを停止して直流電流Ｉｄｃを増加させ、パワーモニタ４にて出射パワーＰを測定することで、発振開始電流値Ｉｔｈと駆動電流に対する発光パワーの効率ηとを求める。これらの発光特性の測定値は、メモリ１１に記憶する。
【００２２】
Ｓ１０２では、高周波電流振幅値Ｉｈｆを所定の値だけ増加させ、直流電流Ｉｄｃはゼロに設定する。Ｓ１０３では、Ｉｈｆを保持したまま直流電流値Ｉｄｃを増加させ、Ｓ１０４では、その時の平均発光パワーＰａをパワーモニタ４にて測定し、目標値に達したかどうかを判定する。ここで目標の平均発光パワーは、再生信号のジッタ特性やレーザダイオードの発光寿命などを考慮して、別途定めた値である。
【００２３】
平均発光パワーが目標値に達すると、Ｓ１０５では基準ディスクを用いてテスト信号の再生を行い、ジッタ特性などを指標に再生性能の評価を行う。また、この時の駆動電流値（Ｉｄｃ，Ｉｈｆ）と上記Ｓ１０１で求めた発光特性式（Ｉｔｈ，η）を用いて、高周波重畳の変調度Ｍ（＝Ｐｍ／Ｐａ）を算出する。
【００２４】
ここで、Ｓ１０６では変調度Ｍに制限を設ける。これは、一般に書き換え型の光ディスクは、高周波重畳の変調度Ｍが大きくなるほど、再生光耐力が低下する（レーザ照射によりディスク上のデータが消去されやすくなる）からである。そのため最高変調度Ｍｍａｘを設け（例えば７．０に設定）、変調度が最高変調度Ｍｍａｘを越えないようにする。
【００２５】
変調度が最高変調度Ｍｍａｘ以下の範囲で、Ｓ１０２に戻り、高周波電流の振幅値Ｉｈｆを増加させ、上記工程を繰り返す。変調度が最高変調度Ｍｍａｘになったら上記工程を停止する。Ｓ１０７では、いままでにＳ１０５にて得られた変調度Ｍの中で、最良の再生品質（ジッタが最小）に対応する変調度Ｍを最適変調度Ｍｏｐｔとして決定する。そして、最適変調度Ｍｏｐｔを、メモリ１１に記憶する。Ｓ１０８では、レーザドライバ１の駆動電流を最適変調度Ｍｏｐｔの得られる駆動電流（Ｉｄｃ，Ｉｈｆ）に設定する。
【００２６】
上記フローチャート（第１のステップ）によれば、最適変調度Ｍｏｐｔを再生装置毎に最適化して設定することができ、装置間または搭載するレーザ光源等にバラツキがあっても、最適に対応することができる。
【００２７】
図４は、最適変調度でレーザ光を出射するように駆動電流の再調整を行うフローチャート（第２のステップ）の例である。上記図３の第１のステップで最適変調度を取得しそれに駆動電流を設定したが、その後の温度変動等により、駆動電流の再調整が必要となった場合の調整である。
【００２８】
Ｓ２０１では、例えば温度変化などを検知して、マイコン１０から駆動電流の再調整の指令を受ける。Ｓ２０２では、レーザダイオード２の発光特性を測定する。高周波電流Ｉｈｆを停止して直流電流Ｉｄｃを増加させ、パワーモニタ４にて出射パワーＰを測定することで、発振開始電流値Ｉｔｈと駆動電流に対する発光パワーの効率ηとを求める。Ｓ２０３では、測定した発光特性を、前記第１のステップのＳ１０１にて取得した発光特性（初期値）と比較し、発光特性の変化量が所定量以上かどうかを判定する。
【００２９】
変化量が所定量以上の場合は、Ｓ２０４では、前記第１のステップで求めた高周波重畳の最適変調度Ｍｏｐｔ及び平均発光パワーＰａをメモリ１１から読み出し、上記Ｓ２０２で測定した発光特性を用いて、以下の計算法により、直流電流値Ｉｄｃと高周波電流の振幅値Ｉｈｆとを求める。Ｓ２０５では、このようにして求めた電流条件にて、レーザドライバ１の駆動電流を再設定する。
【００３０】
ここで、第２ステップのＳ２０４で用いる計算式について詳細に説明する。
【００３１】
図５は、駆動電流と発光波形の関係を示す。レーザダイオードの発光特性は、発振開始電流値Ｉｔｈと駆動電流に対する発光パワーの効率（傾き）ηで表す。駆動電流は、Ｉｄｃを中心に振幅Ｉｈｆ、周期Ｔｈｆで駆動する。
【００３２】
図６は、発光波形を計算で求める時の説明図である。波形は三角形で近似し、斜線部が発光部となる。ピークパワーＰｍ、平均パワーＰａ、ボトムパワー−Ｐｂとすると、
Ｐｍ＝η（Ｉｄｃ＋Ｉｈｆ−Ｉｔｈ）
−Ｐｂ＝η（Ｉｄｃ−Ｉｈｆ−Ｉｔｈ）
である。この時、発光波形（斜線部）の１ピーク当たりの面積Ｓは、
Ｓ＝（Ｔｈｆ／２）・Ｐｍ２／（Ｐｍ＋Ｐｂ）
となる。従って平均パワーＰａと変調度Ｍは、
Ｐａ＝Ｓ／Ｔｈｆ＝（１／２）・Ｐｍ２／（Ｐｍ＋Ｐｂ）
Ｍ＝Ｐｍ／Ｐａ＝２（Ｐｍ＋Ｐｂ）／Ｐｍ
である。これらから、レーザの特性Ｉｔｈ、ηと、平均パワーＰａ、変調度Ｍは、
Ｐａ＝（１／４）η（Ｉｄｃ＋Ｉｈｆ−Ｉｔｈ）２／Ｉｈｆ
Ｍ＝４Ｉｈｆ／（Ｉｄｃ＋Ｉｈｆ−Ｉｔｈ）
これをＩｄｃとＩｈｆについて解くと、
Ｉｄｃ＝（１／４）Ｍ・Ｐａ（４−Ｍ）／η＋Ｉｔｈ        （１）
Ｉｈｆ＝（１／４）Ｍ２Ｐａ／η                          （２）
このように、目標の変調度Ｍ、平均パワーＰａを与え、測定したレーザの発光特性（Ｉｔｈ，η）を用いて、（１）（２）式より最適駆動電流（Ｉｄｃ、Ｉｈｆ）を算出できる。
【００３３】
上記計算は波形を三角波で近似した場合であるが、正弦波にて表現して計算することももちろん可能である。
【００３４】
上記第２のステップによる駆動電流再調整のタイミング（Ｓ２０１）は、光ディスクが光ディスク再生装置に挿入された時（ローディング時）、温度センサを設けてレーザダイオードの周囲温度に変化があった時、データ記録後や、ホストなどの外部から調整の要求を受けた時などが好適である。また、ホスト装置などの外部から時刻情報を受信し、一定期間ごとに第２のステップを実行しても良い。ローディング時に調整を行うことで、フォーカスサーボやトラッキングサーボをかける前に調整ができ、記録再生動作を中断する必要がない。また、データ記録後には、記録前と比較してレーザダイオードの温度に変化が生じやすいため、記録後に常に再調整を行うようにすれば、温度変化を測定する必要がない。また、例えば１ヶ月ごとに再調整を行えば、レーザの経年変化を補償することができる。
【００３５】
以上のように、高周波重畳の駆動電流の最適条件を計算によって随時再設定することで、レーザノイズを低減し、再生品質が向上する。その際、レーザダイオードの発光特性の変化を測定するだけで計算ができるので、短時間で調整が完了する。
【実施例２】
【００３６】
図７は、最適な変調度を取得する他のフローチャート（第１のステップ）の例である。この例では、変調度の最適化の他に高周波電流の周波数の最適化を合わせて行うものである。ここでは、前記実施例１のフローチャート（図３）のループに、さらに高周波電流の周波数ｆを変化させるループを付加している。
【００３７】
最初にＳ１１１にて、レーザダイオードの発光特性を測定する。高周波電流Ｉｈｆを停止して直流電流Ｉｄｃを増加させ、パワーモニタ４にて出射パワーを測定することで、発振開始電流値Ｉｔｈと駆動電流に対する発光パワーの効率ηとを求める。また、高周波重畳の周波数ｆを調整範囲の最小値ｆｍｉｎに設定し、Ｓ１１２にて所定値ずつ増加させる。
【００３８】
次にＳ１１３にて高周波重畳の電流振幅値Ｉｈｆを所定の値だけ増加させ、Ｓ１１４にてそのＩｈｆを保持したまま直流電流値Ｉｄｃを増加させる。Ｓ１１５にて目標の平均発光パワーに達したかどうかの判定を行い、目標の平均発光パワーとなった時に、Ｓ１１６にて基準ディスクを用いて、ジッタ特性などを指標として再生性能の評価を行う。またこの時の駆動電流値と前記Ｓ１１１で求めた発光特性式を用いて、高周波重畳の変調度Ｍ（＝Ｐｍ／Ｐａ）を算出する。Ｓ１１７にて変調度が最高変調度Ｍｍａｘになるまで、高周波電流の振幅値Ｉｈｆを増加させ、上記工程を繰り返す。変調度が最高変調度Ｍｍａｘとなった時に上記工程の繰り返しを停止する。
【００３９】
Ｓ１１８にて、その時の高周波重畳の周波数ｆが調整範囲の最高周波数ｆｍａｘに達したかどうかの判定を行う。周波数ｆが最高周波数ｆｍａｘ以下であれば、Ｓ１１２にて周波数を増加させ上記工程を再度繰り返す。周波数ｆが最高周波数ｆｍａｘとなった時上記工程の繰り返しを停止する。Ｓ１１９にて、最良の再生品質（ジッタが最小）が得られる変調度Ｍと周波数ｆをそれぞれ最適変調度Ｍｏｐｔ、最適周波数ｆｏｐｔに決定する。Ｓ１２０にて、レーザドライバ１を最適変調度Ｍｏｐｔの得られる駆動電流（Ｉｄｃ，Ｉｈｆ，ｆｏｐｔ）に設定する。
【００４０】
本実施例における第２のステップは、前記実施例１のフローチャート（図４）と同様である。ただし、高周波電流の周波数は、上記最適化した周波数ｆｏｐｔを用いる。
【００４１】
本実施例では、変調度の最適化の他に高周波電流の周波数の最適化も行っているので、より的確な駆動電流条件に設定することができる。
【実施例３】
【００４２】
図８は、最適な変調度を取得する他のフローチャート（第１のステップ）の例である。この例では、変調度の最適化の他に平均発光パワーの最適化を合わせて行うものである。ここでは、前記実施例１のフローチャート（図３）のループの中で、さらに平均発光パワーを変化させている。
【００４３】
最初にＳ１２１にて、レーザダイオードの発光特性を測定する。高周波電流Ｉｈｆを停止して直流電流Ｉｄｃを増加させ、パワーモニタ４にて出射パワーを測定することで、発振開始電流値Ｉｔｈと駆動電流に対する発光パワーの効率ηとを求める。
【００４４】
次にＳ１２２にて、高周波重畳の電流振幅値Ｉｈｆを所定の値だけ増加させ、Ｓ１２３にてそのＩｈｆを保持したまま直流電流値Ｉｄｃを所定の値だけ増加させる。この時の平均発光パワーＰａをパワーモニタ４にて測定し、Ｓ１２４にて基準ディスクを用いて、ジッタ特性などを指標として再生性能の評価を行う。またこの時の駆動電流値と上記Ｓ１２１で求めた発光特性式を用いて、高周波重畳の変調度Ｍ（＝Ｐｍ／Ｐａ）を算出する。Ｓ１２５にて、この時の平均発光パワーＰａが調整範囲の最高平均発光パワーＰｍａｘに達したかどうかの判定を行う。平均発光パワーが最高平均発光パワーＰｍａｘ以下であれば、Ｓ１２３にてＩｄｃを所定の値だけ増加させる。
【００４５】
平均発光パワーが最高平均発光パワーＰｍａｘとなった時、Ｓ１２６にて変調度Ｍが最高変調度Ｍｍａｘ以下であるかの判定を行う。変調度が最高変調度Ｍｍａｘ以下であれば、Ｓ１２２にて高周波電流の振幅値Ｉｈｆを増加させ、上記工程を繰り返す。変調度Ｍが最高変調度Ｍｍａｘとなった時に上記工程の繰り返しを停止する。Ｓ１２７にて、最良の再生品質（ジッタが最小）が得られる変調度Ｍと平均発光パワーＰａを、最適変調度Ｍｏｐｔと最適平均パワーＰｏｐｔと決定する。Ｓ１２８にて、レーザドライバ１を最適変調度Ｍｏｐｔと最適平均パワーＰｏｐｔの得られる駆動電流（Ｉｄｃ，Ｉｈｆ）に設定する。
【００４６】
本実施例における第２のステップは、前記実施例１のフローチャート（図４）と同様である。ただし、平均発光パワーとして、上記最適化した平均パワーＰｏｐｔを用いる。
【００４７】
本実施例では、変調度の最適化の他に平均発光パワーの最適化も行っているので、より的確な駆動電流条件に設定することができる。
【００４８】
上記実施例２と実施例３を組み合わせれば、変調度と平均発光パワーと周波数に関し、それぞれ最適変調度Ｍｏｐｔ、最適平均発光パワーＰｏｐｔ、最適周波数ｆｏｐｔを決定することができる。その場合も、ジッタ特性などの再生性能が最良となる条件から決定する。
【図面の簡単な説明】
【００４９】
【図１】本発明による光ディスク再生装置の一実施例を示すブロック構成図。
【図２】本実施例におけるレーザダイオード駆動方法を説明する図。
【図３】最適な変調度を取得するフローチャート（第１のステップ）の一例を示す図。
【図４】最適変調度となるように駆動電流の再調整を行うフローチャート（第２のステップ）の例を示す図。
【図５】駆動電流と発光波形の関係を示す図。
【図６】発光波形を計算で求める時の説明図。
【図７】最適な変調度を取得する他のフローチャート（第１のステップ）の例を示す図。
【図８】最適な変調度を取得する他のフローチャート（第１のステップ）の例を示す図。
【符号の説明】
【００５０】
１…レーザドライバ、２…レーザダイオード、３…光ディスク、４…パワーモニタ、５…アンプ、６…フォトディテクタ、７…アンプ、８…波形等化器、９…信号処理器、１０…マイコン、１１…メモリ。
【図１】
2007004914.tif 000003
【図２】
2007004914.tif 000004
【図３】
2007004914.tif 000005
【図４】
2007004914.tif 000006
【図５】
2007004914.tif 000007
【図６】
2007004914.tif 000008
【図７】
2007004914.tif 000009
【図８】
2007004914.tif 000010